(57)【要約】【課題】ＬＥＤの劣化による輝度低下を補正して、表示ムラが発生するのを防止できる液晶表示装置を得る。【解決手段】画像信号に応じて画像を形成するための液晶表示パネル１０と、画像を表示させるための照明光を照射するＬＥＤバックライト２０とを備えた液晶表示装置において、前記ＬＥＤバックライトを複数の領域に分割した各調整領域で出力すべき設定輝度を出力する輝度調整部４１と、調整すべき領域の調整位置を指定する調整位置コントロール部４２と、前記調整位置に対する前記設定輝度に対応するターゲット値を予め記憶してなるテーブル４３と、調整領域の輝度を検出するフォトセンサ３０と、前記フォトセンサの検出値と前記ターゲット値とを比較して差分値を出力する比較手段４４と、前記差分値に応じて輝度調整された発光コントロール信号を出力する演算部４５と有する発光制御回路４０を備えた。【選択図】図４
2008145964.tif 000002
【特許請求の範囲】
【請求項１】
画像信号に応じて画像を形成するための液晶表示パネルと、画像を表示させるための照明光を照射するＬＥＤバックライトとを備えた液晶表示装置において、
前記ＬＥＤバックライトを複数の領域に分割した各調整領域で出力すべき設定輝度を出力する輝度調整部と、
調整すべき領域の調整位置を指定する調整位置コントロール部と、
前記調整位置に対する前記設定輝度に対応するターゲット値を予め記憶してなるテーブルと、
調整領域の輝度を検出するフォトセンサと、
前記フォトセンサの検出値と前記ターゲット値とを比較して差分値を出力する比較手段と、
前記差分値に応じて輝度調整された発光コントロール信号を出力する演算部と
を有する発光制御手段を備えたことを特徴とする液晶表示装置。
【請求項２】
請求項１に記載の液晶表示装置において、
前記調整位置コントロール部は、前記ＬＥＤバックライトを複数の分割領域を順次シフトさせて調整すべき領域の調整位置を指定する
ことを特徴とする液晶表示装置。
【請求項３】
請求項１または２に記載の液晶表示装置において、
前記発光制御手段は、非調整領域の発光コントロール信号がＯＦＦの時に、調整領域の発光コントロール信号をＯＮさせて、前記フォトセンサにより調整領域の輝度を検出する  ことを特徴とする液晶表示装置。
【発明の詳細な説明】
【技術分野】
【０００１】
この発明は、エリアコントロールを行うためのＬＥＤバックライトを用いた液晶表示装置に関するものである。
【背景技術】
【０００２】
従来の液晶表示装置として、画像信号に応じて画像を形成する光変調素子を有する液晶表示パネルと、前記光変調素子に画像を表示させるための照明光を照射するＬＥＤバックライトとを備え、ＬＥＤバックライトの発光領域を分割し、分割した発光領域に対応する画像データに応じて該当発光領域の輝度を制御するものがある（例えば、特許文献１参照）。
【０００３】
【特許文献１】特開２００５−２５８４０３号公報
【発明の開示】
【発明が解決しようとする課題】
【０００４】
しかしながら、特許文献１の如く、ＬＥＤバックライトでエリアコントロールを行うと、発光領域毎にＬＥＤの累計発光時間が異なるため、ＬＥＤの劣化が発光領域毎に違いムラに見える。そのため、使用時間により表示ムラが発生するという問題点があった。
【０００５】
この発明は上述した点に鑑みてなされたもので、ＬＥＤの劣化による輝度低下を補正して、表示ムラが発生するのを防止できる液晶表示装置を得ることを目的とする。
【課題を解決するための手段】
【０００６】
この発明に係る液晶表示装置は、画像信号に応じて画像を形成するための液晶表示パネルと、画像を表示させるための照明光を照射するＬＥＤバックライトとを備えた液晶表示装置において、前記ＬＥＤバックライトを複数の領域に分割した各調整領域で出力すべき設定輝度を出力する輝度調整部と、調整すべき領域の調整位置を指定する調整位置コントロール部と、前記調整位置に対する前記設定輝度に対応するターゲット値を予め記憶してなるテーブルと、調整領域の輝度を検出するフォトセンサと、前記フォトセンサの検出値と前記ターゲット値とを比較して差分値を出力する比較手段と、前記差分値に応じて輝度調整された発光コントロール信号を出力する演算部と有する発光制御回路を備えたことを特徴とする。
【発明の効果】
【０００７】
この発明によれば、調整領域の位置・設定輝度に応じて理想のターゲット値を選択し、実際の輝度検出値と比較した差分値に応じて輝度調整された発光コントロール信号を作成することができ、ＬＥＤの劣化による輝度低下を補正して、表示ムラが発生するのを防止できる。
【発明を実施するための最良の形態】
【０００８】
図１は、この発明の実施の形態に用いる液晶表示装置を説明する図である。図１に示すように、本実施の形態に係る液晶表示装置は、画像信号に応じて画像を形成する光変調素子（図示せず）を有する液晶表示パネル１０と、液晶表示パネル１０の背面に設けられて、前記光変調素子に画像を表示させるための照明光を照射するＬＥＤバックライト２０と、ＬＥＤバックライト２０を複数の領域に分割し分割された領域毎の輝度を検出するためのフォトセンサ３０とを備える。
【０００９】
また、図２（ａ）、（ｂ）は、ＬＥＤバックライト２０の各分割領域の輝度検出に基づく輝度調整を説明する図である。図２（ａ）、（ｂ）に示すように、ＬＥＤバックライト２０を複数の領域に分割し、１分割領域のみ発光させ、他の分割領域は消灯させて、分割領域毎にフォトセンサ３０で輝度を検出するようにして、発光領域を順次シフトさせて分割領域毎の輝度検出に基づき輝度検出値の相関を求めることで輝度補正を可能にする。この際、装置の電源オン時、装置からの補正指令があった場合に、図２に従って補正を行い、図１に示す液晶表示パネル１０は黒表示することで、ＬＥＤの点滅が分からないようにする。
【００１０】
図３は、輝度調整される分割領域（以下、調整領域と称す）の輝度を検出するタイミングチャートを示す図である。図３に示すように、フォトセンサ３０を用いた調整領域の輝度の検出タイミングは、その他領域と発光タイミングを変えて、つまり非調整領域の発光コントロール信号がＯＦＦの時に、調整領域の発光コントロール信号をＯＮさせて、輝度を検出する。
【００１１】
次に、図４は、本実施の形態に係るＬＥＤバックライト２０の発光制御回路の構成を示すブロック図である。図４に示す発光制御回路４０は、ＬＥＤバックライト２０の各調整領域で出力すべき設定輝度を出力する輝度調整部４１と、ＬＥＤバックライト２０の複数の分割領域を順次シフトさせて調整すべき領域を指定するための調整位置を出力する調整位置コントロール部４２と、調整位置に対する設定輝度に対応するターゲット値（理想センサ値）を予め記憶してなり、調整位置コントロール部４２からの調整位置に対する輝度調整部４１からの設定輝度に対応するターゲット値（理想センサ値）を出力するテーブル４３と、フォトセンサ３０の検出値と、前記ターゲット値とを比較して差分値を出力する比較器４４と、前記差分値に応じて輝度調整された発光コントロール信号を出力する演算部４５とを備えている。
【００１２】
図５は、テーブル４３に予め記憶されている内容を示す図である。図５に示すように、テーブル４３には、調整位置に対する設定輝度に対応するターゲット値（理想センサ値）を予め記憶されており、例えば、調整位置が「領域１」に対する設定輝度が「７５％」として与えられる場合に、それに対応するターゲット値（理想センサ値）としては、「２２０」の値が予め記憶されている。
【００１３】
すなわち、図４に示す発光制御回路４０によれば、ＬＥＤバックライト２０の複数の分割領域に応じて、調整領域の位置・設定輝度によって理想となるフォトセンサ３０のターゲット値が異なるため、テーブル４３をもって理想のターゲット値を選択し、フォトセンサ３０による実際の輝度検出値と比較した差分値に応じて輝度調整された発光コントロール信号を作成することができ、ＬＥＤの劣化による輝度低下を補正して、表示ムラが発生するのを防止できる。
【００１４】
また、他の領域では発光していない期間に１領域のみ発光させ、フォトセンサ３０で発光量を取り込み劣化に対する補正を掛けることで、熱による輝度低下も補正することができる。
【図面の簡単な説明】
【００１５】
【図１】この発明の実施の形態に用いる液晶表示装置を説明する図である。
【図２】ＬＥＤバックライト２０の各分割領域の輝度検出に基づく輝度調整を説明する図である。
【図３】輝度調整される分割領域の輝度を検出するタイミングチャートを示す図である。
【図４】本実施の形態に係るＬＥＤバックライト２０の発光制御回路の構成を示すブロック図である。
【図５】テーブル４３に予め記憶されている内容を示す図である。
【符号の説明】
【００１６】
１０  液晶表示パネル、２０  ＬＥＤバックライト、３０  フォトセンサ、４０  発光制御回路、４１  輝度調整部、４２  調整位置コントロール部、４３  テーブル、４４  比較器、４５  演算部。
【図４】
2008145964.tif 000003
【図５】
2008145964.tif 000004
【図１】
2008145964.tif 000005
【図２】
2008145964.tif 000006
【図３】
2008145964.tif 000007